(57)【特許請求の範囲】
【請求項１】
仕様に応じて装着される電気部品実装ユニットを保持するユニット保持部と、前記ユニット未装着時にユニット接続用のワイヤハーネスコネクタを嵌合させるダミーコネクタハウジングとを備えた電気接続箱において、
前記ユニットを前記ユニット保持部に保持させると前記ダミーコネクタハウジングへの前記ワイヤハーネスコネクタの嵌合を阻止する阻止手段を備え、
前記ユニットを前記ユニット保持部に保持させると、前記ユニットの先端部に形成された前記ワイヤハーネスコネクタと接続するためのコネクタが前記ユニット保持部の底面に形成された開口部に現れるように構成され、
前記ユニット装着時には前記ワイヤハーネスコネクタを前記ユニットのみに接続させることができ、前記ユニット未装着時には前記ワイヤハーネスコネクタを前記ダミーコネクタハウジングのみに嵌合させることができることを特徴とする電気接続箱。
【請求項２】
前記阻止手段は、前記ダミーコネクタハウジングにワイヤハーネスコネクタを嵌合できる第１の係止位置と前記ダミーコネクタハウジングにワイヤハーネスコネクタを嵌合できない第２の係止位置との間で変位可能な、前記ユニット保持部に形成された可撓片からなり、前記ユニット保持部への前記ユニットの装着に伴い前記可撓片が第１の係止位置から第２の係止位置に変位して前記ダミーコネクタハウジングにワイヤハーネスコネクタを嵌合できないようにすることを特徴とする、請求項１に記載の電気接続箱。
【請求項３】
前記阻止手段は、前記ダミーコネクタハウジングのワイヤハーネスコネクタ嵌合部の一部が前記ユニット保持部の一部を形成するように設けられ、前記ユニット保持部への前記ユニット装着時に前記ワイヤハーネスコネクタが前記ダミーコネクタハウジングに嵌合されるのを阻止することを特徴とする、請求項１に記載の電気接続箱。
【発明の詳細な説明】
【０００１】
【発明の属する技術分野】
本発明は、例えば、自動車などに搭載される電気接続箱に関する。
【０００２】
【関連する背景技術】
近年、自動車に関しても快適性に対するニーズが高まり、例えば、同一の車種でもグレード等に応じてオーディオ、ナビゲーションシステム、テレビ、電動アンテナ、エアコン、リアウィンドウヒータ、シートヒータ、パワーシート、サスペンションの硬さ制御などの様々な電装品が搭載される場合がある。かかる電装品には、電気接続箱を経由してバッテリ電源より電力が供給される。この電気接続箱内には、ワイヤハーネスとボディーとの短絡時やモータなどの負荷が故障した時などに大電流が流れるのを防止するヒューズや電装品の操作スイッチ等と連動して電装品への電力供給を制御するためのリレー等の電気部品が搭載されている。
【０００３】
一方、かかる様々な電装品が搭載されると、消費電力が多くなるので、電装品の動作状態によってはバッテリ等に非常に負荷がかかる場合がある。従って、このような状態においては、他の電装品に悪影響を及ぼしたり燃費が悪化するなどの不具合が発生する場合がある。
かかる不具合の発生を防止するために、車両に多くの電装品が搭載される場合、ＡＣＧコントロールユニットという、電気部品を実装した付加的なユニットが電気接続箱に装着されることがある。このＡＣＧコントロールユニットは、電装品が消費する電力量を常に検出し、この電力量が多くなるとエンジンの回転数を上げ、少なくなるとエンジンの回転数を下げるような制御信号を出力する電子制御ユニットである。
【０００４】
ここで、ＡＣＧコントロールユニットが電気接続箱に装着される場合と装着されない場合とで、ワイヤハーネスの仕様を変更すると、図５(a)に示すように、ＡＣＧコントロールユニットを装着しない場合は、ワイヤハーネスにもＡＣＧコントロールユニットと電気的に接続されるコネクタが備わっておらず、ＡＣＧコントロールユニットを装着する場合は、ワイヤハーネスにもＡＣＧコントロールユニットと電気的に接続されるコネクタが備わるようになる。従って、ＡＣＧコントロールユニットが装着される仕様の場合のみ、ＡＣＧコントロールユニット接続用ワイヤハーネスコネクタをＡＣＧコントロールユニットに確実に接続することができる。
【０００５】
しかし、ＡＣＧコントロールユニットの有無に対応してコネクタの備わったワイヤハーネスと備わっていないワイヤハーネスとを準備するのでは、ワイヤハーネスの品種を増大させることになり、部品の共用化を図り、コスト低減を達成する上で適当でない。
一方、ワイヤハーネスの共用化を図るために、図６(a)に示すように、ＡＣＧコントロールユニット接続用ワイヤハーネスコネクタを備えたワイヤハーネスのみを用意し、このコネクタを絶縁性の樹脂テープ等で被覆しておき、ＡＣＧコントロールユニット保持部にＡＣＧコントロールユニットが装着される場合のみテープを剥がしてコネクタをＡＣＧコントロールユニットに接続する、いわゆる付殺し仕様を採用することもある。しかし、このような付殺し仕様では、ワイヤハーネスの品種を削減することは可能であるが、電気接続箱にＡＣＧコントロールユニットを装着する場合、図６(b)に示すように、コネクタのテープを剥がしてからコネクタをＡＣＧコントロールユニットに接続する必要があり、余分な作業工数がかかる。
【０００６】
【発明が解決しようとする課題】
上述の不具合を防止するために、ＡＣＧコントロールユニット不装着時にワイヤハーネスのＡＣＧコントロールユニット接続用コネクタを嵌合保持するためのダミーコネクタハウジングを電気接続箱のＡＣＧコントロールユニット保持部近傍に形成し、ＡＣＧコントロールユニットを電気接続箱に装着する仕様の場合は、ワイヤハーネスのＡＣＧコントロールユニット接続用コネクタをＡＣＧコントロールユニットに接続し、ＡＣＧコントロールユニットを電気接続箱に装着しない仕様の場合は、電気的に絶縁されたダミーコネクタハウジングに当該コネクタを嵌合させることが考えられる。
【０００７】
このようなダミーコネクタハウジングを備えることで、ワイヤハーネスの共用化が図れると共に、付殺ししたワイヤハーネスの被覆テープを剥ぎ取る手間を省くことができる。しかし、このような構成によるとＡＣＧコントロールユニット装着時にＡＣＧコントロールユニットに接続すべきコネクタをダミーコネクタハウジングに誤って嵌合させてしまい、ＡＣＧコントロールユニットの機能を全く発揮しない状態のまま電気接続箱を組み立ててしまう恐れがある。一旦、このような誤接続のまま電気接続箱を組み立て、この電気接続箱を車両に搭載してしまうと、車両組立ラインの最終検査ラインまで誤接続が発見されることがなく、その後の修正作業がやっかいである。
【０００８】
本発明の目的は、電気部品を実装したユニットが仕様に応じて取り付けられる電気接続箱において、絶縁テープで被覆されていない共用化されたワイヤハーネスを使用することができ、且つワイヤハーネスコネクタの誤接続を防止することができる電気接続箱を提供することにある。
【０００９】
【課題を解決するための手段】
上述の目的を達成するために、本発明に係る電気接続箱は、仕様に応じて装着される電気部品実装ユニットを保持するユニット保持部と、前記ユニット未装着時にユニット接続用のワイヤハーネスコネクタを嵌合させるダミーコネクタハウジングとを備えた電気接続箱において、前記ユニットを前記ユニット保持部に保持させると前記ダミーコネクタハウジングへの前記ワイヤハーネスコネクタの嵌合を阻止する阻止手段を備え、前記ユニットを前記ユニット保持部に保持させると、前記ユニットの先端部に形成された前記ワイヤハーネスコネクタと接続するためのコネクタが前記ユニット保持部の底面に形成された開口部に現れるように構成され、前記ユニット装着時には前記ワイヤハーネスコネクタを前記ユニットのみに接続させることができ、前記ユニット未装着時には前記ワイヤハーネスコネクタを前記ダミーコネクタハウジングのみに嵌合させることができることを特徴としている。
【００１０】
電気部品実装ユニットを電気接続箱に装着しない仕様の場合は、当該コネクタをユニット保持部のダミーコネクタハウジングに嵌合させ、電気部品実装ユニットを電気接続箱に装着する仕様の場合は、阻止手段によって当該コネクタがダミーコネクタハウジングに嵌合することがないので、ユニット接続用ワイヤハーネスコネクタを電気部品実装ユニットに確実に接続させることができる。又、ユニット接続用ワイヤハーネスコネクタを備えたワイヤハーネスをユニット装着の有無に係わらず使用することができ、ハーネスの共用化を図ることができる。
【００１１】
又、本発明の請求項２に係る電気接続箱は、請求項１に記載の電気接続箱において、阻止手段を、ダミーコネクタハウジングにワイヤハーネスコネクタを嵌合できる第１の係止位置とダミーコネクタハウジングにワイヤハーネスコネクタを嵌合できない第２の係止位置との間で変位可能な、ユニット保持部に形成された可撓片としたことを特徴としている。
【００１２】
ユニット保持部に電気部品実装ユニットを挿入すると、ユニットによって可撓片が第１の係止位置から第２の係止位置に変位する。即ち、ユニット挿入に伴ってダミーコネクタハウジングのコネクタ嵌合部に可撓片が突出するので、ワイヤハーネスコネクタをダミーコネクタハウジングに嵌合させることができず、ワイヤハーネスコネクタを電気部品実装ユニットに確実に接続させることができる。
【００１３】
又、本発明の請求項３に係る電気接続箱は、請求項１に記載の電気接続箱において、阻止手段を、ダミーコネクタハウジングのワイヤハーネスコネクタ嵌合部の一部がユニット保持部の一部を形成するように設けたことを特徴としている。ユニット保持部に電気部品実装ユニットを保持させると、ユニットの一部がダミーコネクタハウジングのワイヤハーネスコネクタ嵌合部を部分的に占有するので、ワイヤハーネスコネクタをダミーコネクタハウジングに嵌合させることができず、ワイヤハーネスコネクタを電気部品実装ユニットに確実に接続させることができる。
【００１４】
【発明の実施の形態】
以下、図面を参照して本発明の一実施形態に係る電気接続箱について説明する。
本発明の一実施形態に係る電気接続箱１は、電気接続箱を下側から見上げた図１に示すように、本発明に係るＡＣＧコントロールユニット保持部１１及びダミーコネクタハウジング１２の形成されたロアケース１０と、ロアケース１０と組み合わされ、複数のヒューズ等が実装されたアッパーケース（図示せず）と、アッパーケースに嵌着されるアッパーカバー２０と、ロアケース１０に嵌着されるロアカバー（図示せず）等とから構成されている。
【００１５】
ロアケース１０は、樹脂材等で一体成形され、その底部（図中、上部）には、ＡＣＧコントロールユニット保持部１１とダミーコネクタハウジング１２の他、複数のワイヤハーネス接続用雄コネクタ１３，１４，…が形成されている。
ロアケース１０に形成されたＡＣＧコントロールユニット保持部１１はＡＣＧコントロールユニット２１を収容保持するためのハウジング体であり、アッパーケース側（図１において下側、図２(b)において上側）からＡＣＧコントロールユニット２１を挿入し、図３(a)に示すように、ＡＣＧコントロールユニット保持部１１にＡＣＧコントロールユニット２１を完全に挿入すると、ＡＣＧコントロールユニット２１の先端部２１aがＡＣＧコントロールユニット保持部１１の底面１１aと当接して停止し、且つＡＣＧコントロールユニット保持部１１に形成された保持ロック１１kがＡＣＧコントロールユニット２１を押さえ付けてＡＣＧコントロールユニット２１をしっかりと保持する構造を有している。
【００１６】
ＡＣＧコントロールユニット２１の先端部２１aには、図３(a)の底面図に示すように、ワイヤハーネスと接続するための雄コネクタ２１cが形成されている。又、ＡＣＧコントロールユニット保持部１１の底面には、ＡＣＧコントロールユニット２１を装着した場合、ＡＣＧコントロールユニット２１の雄コネクタ２１cとワイヤハーネスのコネクタ１８とが接続できるように開口部１１bが形成されている。
【００１７】
尚、ここで言うＡＣＧコントロールユニット２１とは、上述の通り、電装品が消費する電力量を常に検出し、この電力量が多くなるとエンジンの回転数を上げ、少なくなるとエンジンの回転数を下げるような制御信号を出力する電子制御ユニットである。
又、ＡＣＧコントロールユニット２１は、車両の仕様に応じて選択的に搭載されるもので、ＡＣＧコントロールユニット２１を搭載する場合は、ロアケース１０にアッパーケースを嵌合した後にＡＣＧコントロールユニット２１をＡＣＧコントロールユニット保持部１１に挿入する。従って、ＡＣＧコントロールユニット２１を装着した電気接続箱の場合、図１及び図３(a)の底面図に示すように、ＡＣＧコントロールユニット保持部１１の開口部１１bにＡＣＧコントロールユニット２１の雄コネクタ２１cが現れ、ＡＣＧコントロールユニット２１を装着しない電気接続箱の場合、図２(a) の底面図に示すように、ＡＣＧコントロールユニット保持部１１の開口部１１bにＡＣＧコントロールユニット２１の雄コネクタ２１cが現れることはない。
【００１８】
ダミーコネクタハウジング１２は、ＡＣＧコントロールユニット保持部１１の開口部側にＡＣＧコントロールユニット保持部１１と並んで形成されている。ダミーコネクタハウジング１２は、図２(a)の断面図に示すように、ＡＣＧコントロールユニット２１を装着しない場合に、ワイヤハーネスのＡＣＧコントロールユニット接続用コネクタ２２を嵌合させるものである。これによって、コネクタの短絡等によりワイヤハーネスに誤電流が流れるのを防止する。
【００１９】
上述の構成から明らかなように、ＡＣＧコントロールユニット保持部１１とダミーコネクタハウジング１２とは、ＡＣＧコントロールユニット２１の装着・不装着に係わらず、電気接続箱のロアケース１０に常に形成されており、ＡＣＧコントロールユニット２１を装着しない仕様の場合は、図２(a)の底面図に示すように、ダミーコネクタハウジング１２のみにＡＣＧコントロールユニット接続用コネクタ２２と嵌合するダミーの雄コネクタ１２cが形成され、ＡＣＧコントロールユニット２１を装着する仕様の場合は、図３(a)の底面図に示すように、ＡＣＧコントロールユニット保持部１１とダミーコネクタハウジング１２の双方にＡＣＧコントロールユニット接続用コネクタ２２と嵌合する同一形状の雄コネクタ２１c，１２cが形成されることになる。
【００２０】
一方、ＡＣＧコントロールユニット保持部１１とダミーコネクタハウジング１２とを画成する内壁の一部には、図２及び図３に示すように、いわゆるランス形状の可撓片１７が形成されている。可撓片１７は、基端１７bがＡＣＧコントロールユニット保持部１１の内壁上部に位置すると共に、自由端１７tがダミーコネクタハウジング１２の開口部付近に位置している。可撓片１７の自由端１７tは、通常はダミーコネクタハウジング１２にワイヤハーネスコネクタ２２を嵌合できる位置（図２(a)に示す第１の係止位置）にあるが、可撓片１７をＡＣＧコントロールユニット保持部外方（即ち、ダミーコネクタハウジング側）に撓ませることで、ダミーコネクタハウジング１２にワイヤハーネスコネクタ２２を嵌合できない位置（図３(a)に示す第２の係止位置）に可撓片１７の自由端１７tが変位することができる。
【００２１】
可撓片１７のＡＣＧコントロールユニット接触面には、基端１７bから一定距離離間した位置に傾斜部１７rがＡＣＧコントロールユニット保持部１１の内方に向かって突出するように形成されている。そして、図２(b)及び図３(a)に示すように、ＡＣＧコントロールユニット挿入時にＡＣＧコントロールユニット２１の先端部２１aが可撓片１７の傾斜部１７rを保持部外方に押し付け、可撓片１７の自由端１７tを第１の係止位置から第２の係止位置に変位させる。
【００２２】
本発明の第１の実施形態に係る電気接続箱１は、ユニット保持部１１、ダミーコネクタハウジング１２、及び可撓片１７が上述の構成で形成されているので、以下に説明するように、ＡＣＧコントロールユニット２１を装着しない仕様の場合は、ワイヤハーネスコネクタ２２をダミーコネクタハウジング１２に嵌合させることができ、且つＡＣＧコントロールユニット２１を装着する仕様の場合は、ワイヤハーネスコネクタ２２をＡＣＧコントロールユニット２１のみに接続することができる。
【００２３】
まず最初に、ＡＣＧコントロールユニット２１を装着しない仕様の場合、即ち、ＡＣＧコントロールユニット２１を装着しないまま、ロアケース１０とアッパーケース、及びアッパーカバー２０を組み付けた場合、図２(a)の底面図に示すように、ダミーコネクタハウジング１２にのみコネクタ嵌合部１２cが形成される。従って、電気接続箱１に接続されるワイヤハーネスを共通化した場合、即ち、ＡＣＧコントロールユニット装着の有無に係わらずＡＣＧコントロールユニット接続用雌コネクタ２２がワイヤハーネスに常に備わっている場合、このＡＣＧコントロールユニット接続用雌コネクタ（この場合、ダミーの雌コネクタとなる）２２をダミーコネクタハウジング１２のみに嵌合させることができる。この場合、ＡＣＧコントロールユニット保持部１１にＡＣＧコントロールユニット２１が挿入されていないので、可撓片１７は第１の係止位置にあり、ワイヤハーネスの雌コネクタ２２をダミーコネクタハウジング１２に容易に嵌合させることができる。従って、ワイヤハーネスの雌コネクタ２２が短絡して誤動作の原因となるのを防止することができる。
【００２４】
次に、ＡＣＧコントロールユニット２１を装着する仕様の場合について説明する。
図２(b)の断面図に示すようにＡＣＧコントロールユニット保持部１１にＡＣＧコントロールユニット２１を挿入していくと、ＡＣＧコントロールユニット２１の先端部２１aが可撓片１７の傾斜部１７rを保持部外方に押し出すので、図３(a)の断面図に示すようにＡＣＧコントロールユニット２１がＡＣＧコントロールユニット保持部１１に完全に挿入されると、可撓片１７の自由端１７tが第１の係止位置から第２の係止位置に変位する。
【００２５】
この第２の係止位置に可撓片１７が変位することで、ＡＣＧコントロールユニット接続用雌コネクタ２２をダミーコネクタハウジング１２に嵌合できないようになるので、図３(b)の断面図に示すように、ＡＣＧコントロールユニット接続用雌コネクタ２２をＡＣＧコントロールユニット２１にのみ確実に接続させることができる。従って、ＡＣＧコントロールユニット２１が装着される仕様の場合、ワイヤハーネスのＡＣＧコントロールユニット接続用雌コネクタ２２をダミーコネクタハウジング１２に誤って嵌合させることはない。又、従来の付殺し接続されたワイヤハーネスを使用する場合のように、ＡＣＧコントロールユニット装着仕様の場合に絶縁テープを剥ぎ取る余分な工程を必要とすることもなく、組立作業工数の低減を図ることもできる。
【００２６】
次に、本発明の別の実施形態に係る電気接続箱について説明する。
尚、第１の実施形態と同一の構成に係る部分については、対応する符号を付して詳細な説明を省略する。
本発明の別の実施形態に係る電気接続箱５は、第１の実施形態のような可撓片をＡＣＧコントロールユニット保持部とダミーコネクタハウジングとの間に備える代わりに、ダミーコネクタハウジング５２のワイヤハーネスコネクタ嵌合部５２cの一部がユニット保持部５１の一部を形成して、ＡＣＧコントロールユニット接続用雌コネクタをダミーコネクタハウジング５２に誤って嵌合させるのを阻止している。
【００２７】
即ち、図４(a)に示すように、ＡＣＧコントロールユニット保持部５１とダミーコネクタハウジング５２のワイヤハーネスコネクタ嵌合部５２cとが互いに連通してこれらの重複部分が共通した空間を形成し、ＡＣＧコントロールユニット２１をＡＣＧコントロールユニット保持部５１に半挿入した状態では、ダミーコネクタハウジング５２にワイヤハーネスコネクタを嵌合させる空間が確保されているが、ＡＣＧコントロールユニット２１をＡＣＧコントロールユニット保持部５１に完全に挿入すると、図４(b) に示すように、重複部分の空間ＡがＡＣＧコントロールユニット２１で占有され（図４(b)の斜線部参照）、ダミーコネクタハウジング５２にワイヤハーネスコネクタを嵌合させようとしても、ワイヤハーネスコネクタがＡＣＧコントロールユニット２１の先端部（図中、下端部）２１aに干渉し、嵌合を阻止する。
【００２８】
従って、ワイヤハーネスコネクタは、ＡＣＧコントロールユニット２１の雄コネクタ２１cにのみ接続することができ、ＡＣＧコントロールユニット搭載仕様におけるワイヤハーネスコネクタ２２のダミーコネクタハウジング５２への誤嵌合を効果的に防止することができる。その為、組立作業者が目視によらず手作業によってもワイヤハーネスコネクタ２２をＡＣＧコントロールユニット２１に確実に接続することが可能となる。
【００２９】
【発明の効果】
以上説明したように、本発明に係る電気接続箱は、仕様に応じて装着される電気部品実装ユニットを保持するユニット保持部と、ユニット未装着時にユニット接続用のワイヤハーネスコネクタを嵌合させるダミーコネクタハウジングとを備え、更に、ユニットをユニット保持部に保持させるとダミーコネクタハウジングにワイヤハーネスコネクタが嵌合されるのを阻止する阻止手段を具備したことを特徴としている。
【００３０】
電気部品実装ユニットを電気接続箱に装着しない仕様の場合は、当該コネクタをユニット保持部のダミーコネクタハウジングに嵌合させ、電気部品実装ユニットを電気接続箱に装着する仕様の場合は、阻止手段によって当該コネクタがダミーコネクタハウジングに嵌合することがないので、ユニット接続用ワイヤハーネスコネクタを電気部品実装ユニットにのみ確実に接続させることができる。
【００３１】
従って、ユニット装着の有無に係わらずユニット接続用コネクタを有するワイヤハーネスを電気接続箱に接続することができ、ワイヤハーネスの共用化を図ることができる。又、ユニット接続用コネクタを絶縁被覆する必要もなく、且つコネクタ接続時に絶縁被覆を剥ぎ取る必要もないので組立工数の低減を図ることができる。更には、電気部品実装ユニットが装着された場合に、ユニット接続用コネクタをダミーコネクタハウジングに誤嵌合するのを効果的に阻止する。
【００３２】
又、本発明の請求項２に係る電気接続箱は、請求項１に記載の電気接続箱において、阻止手段を、ダミーコネクタハウジングにワイヤハーネスコネクタを嵌合できる第１の係止位置とダミーコネクタハウジングにワイヤハーネスコネクタを嵌合できない第２の係止位置との間で変位可能な、ユニット保持部に形成された可撓片としたことを特徴としている。
【００３３】
ユニット保持部に電気部品実装ユニットを挿入すると、ユニットによって可撓片が第１の係止位置から第２の係止位置に変位する。即ち、ユニット挿入に伴ってダミーコネクタハウジングのコネクタ嵌合部に可撓片が突出するので、ワイヤハーネスコネクタをダミーコネクタハウジングに嵌合させることができず、ワイヤハーネスコネクタを電気部品実装ユニットに確実に接続させることができる。
【００３４】
又、本発明の請求項３に係る電気接続箱は、請求項１に記載の電気接続箱において、阻止手段を、ダミーコネクタハウジングのワイヤハーネスコネクタ嵌合部の一部がユニット保持部の一部を形成するように設けてたことを特徴としている。
ユニット保持部に電気部品実装ユニットを保持させると、ユニットの一部がダミーコネクタハウジングのワイヤハーネスコネクタ嵌合部を部分的に占有するので、ワイヤハーネスコネクタをダミーコネクタハウジングに嵌合させることができず、ワイヤハーネスコネクタを電気部品実装ユニットに確実に接続させることができる。
【図面の簡単な説明】
【図１】本発明の一実施形態に係る電気接続箱１を、ロアカバーを外した状態でロアケース方向から示した斜視図である。
【図２】本発明の一実施形態に係る電気接続箱１にＡＣＧコントロールユニット２１を装着する手順を説明する断面図及び底面図である。
【図３】図２のＡＣＧコントロールユニット２１にワイヤハーネスコネクタ２２を接続する手順を説明する断面図及び底面図である。
【図４】本発明の別の実施形態に係る電気接続箱５にＡＣＧコントロールユニット２１を装着する手順を説明する断面図及び底面図である。
【図５】従来のＡＣＧコントロールユニットとワイヤハーネスコネクタとの接続方法の一例を説明する概略図である。
【図６】従来のＡＣＧコントロールユニットとワイヤハーネスコネクタとの接続方法の別の例を説明する概略図である。
【符号の説明】
１，５  電気接続箱
１０    ロアケース
１１    ＡＣＧコントロールユニット保持部
１２    ダミーコネクタハウジング
１７    可撓片
１７r   傾斜部
２０    アッパーカバー
２１    ＡＣＧコントロールユニット
２１c   雄コネクタ
２２    ワイヤハーネスコネクタ
５１    ＡＣＧコントロールユニット保持部
５２    ダミーコネクタハウジング
５２c   ダミーコネクタハウジング嵌合部
【図１】
0003869139.tif 000002
【図２】
0003869139.tif 000003
【図３】
0003869139.tif 000004
【図４】
0003869139.tif 000005
【図５】
0003869139.tif 000006
【図６】
0003869139.tif 000007